(57)【特許請求の範囲】
【請求項１】
一端に注出口を有し内部に粘性液状物、ペースト状物等の内容物を充填した可撓性資材からなる容器を抱持可能とされた略筒状を有する容器装填部と、前記容器の底部を容器の長さ方向に押圧嵌入したとき内容積が略無くなるまでピストンロッドにより押し込まれるピストンと、このピストンを装着したピストンロッドを所定ピッチずつ押動させる操作部とを具有し、前記ピストンはその直径方向に拡縮自在に形成されており、前記容器の底部を押し込むときに拡径させ、引き戻し時に縮径させて引き抜くようにし、
前記ピストンは、半径線上で複数個に分割され集合により前記容器の底部外面に可及的密に当接し得る突椀状周面を形成する複数のピストン片と、前記容器の底部に形成されて注出口側内面に相似の断面形状に突出する突出底部の外面側に可及的密に嵌合し得る円盤状のヘッド部材と、前記操作部の操作により間欠的に前進動するピストンロッドとを具え、このピストンロッドに固設された軸受部と前記各ピストン片の背部に設けられた軸受部とをそれぞれ連結レバーにより回動自在に連結し、前記ヘッド部材に前記各ピストン片を拡縮方向にスライド自在に支持し、前記ピストンロッドを押進したとき前記各連結レバーが拡張方向に回動して各ピストン片が拡径方向に移動することによりピストン径が拡大されるようになされていることを特徴とするガン式ディスペンサ。
【請求項２】
一端に注出口を有し内部に粘性液状物、ペースト状物等の内容物を充填した可撓性資材からなる容器を抱持可能とされた略筒状を有する容器装填部と、前記容器の底部を容器の長さ方向に押圧嵌入したとき内容積が略無くなるまでピストンロッドにより押し込まれるピストンと、このピストンを装着したピストンロッドを所定ピッチずつ押動させる操作部とを具有し、前記ピストンはその直径方向に拡縮自在に形成されており、前記容器の底部を押し込むときに拡径させ、引き戻し時に縮径させて引き抜くようにし、
前記ピストンは、半径線上で複数個に分割され集合により前記容器の底部外面に可及的密に当接し得る突椀状周面を形成する複数のピストン片と、前記容器の底部に形成されて注出口側内面に相似の断面形状に突出する突出底部の外面側に可及的密に嵌合し得る円盤状のヘッド部材と、前記操作部の操作により間欠的に前進動するピストンロッドとを具え、このピストンロッドの先端に先端側が小径となるコーン状周面を有するカム部材を固設するとともに前記ヘッド部材に前記各ピストン片を拡縮方向にスライド自在に支持し、前記各ピストン片の中心側内端部に前記カム部材に周面に摺接するテーパー状のカム面を設け、前記ピストンロッドを押進したとき前記カム部材によりピストン片を拡径方向にスライドさせてピストン径が拡大されるようになされていることを特徴とするガン式ディスペンサ。
【請求項３】
一端に注出口を有し内部に粘性液状物、ペースト状物等の内容物を充填した可撓性資材からなる容器を抱持可能とされた略筒状を有する容器装填部と、前記容器の底部を容器の長さ方向に押圧嵌入したとき内容積が略無くなるまでピストンロッドにより押し込まれるピストンと、このピストンを装着したピストンロッドを所定ピッチずつ押動させる操作部とを具有し、前記ピストンはその直径方向に拡縮自在に形成されており、前記容器の底部を押し込むときに拡径させ、引き戻し時に縮径させて引き抜くようにし、
前記ピストンは、集合により円環状を呈するよう弧状周面を有する複数個のピストン片と、前記容器の底部に形成されて注出口側内面に相似の断面形状に突出する突出底部の外面側に可及的密に嵌合し得る円盤状のヘッド部材と、前記操作部の操作により間欠的に前進動するピストンロッドとを具え、前記ピストン片は各端部同士を遊着して円環状に形成し、前記ピストンロッドの先端に前記ピストン片の各端部を拡縮方向に移動させるカム部材を固設し、前記ヘッド部材に前記ピストン片を拡縮方向にスライド自在に支持し、前記ピストンロッドを回動させたとき前記カム部材が回動して各ピストン片を拡径方向に移動させることによりピストン径が拡大されるようになされていることを特徴とするガン式ディスペンサ。
【請求項４】
一端に注出口を有し内部に粘性液状物、ペースト状物等の内容物を充填した可撓性資材からなる容器を抱持可能とされた略筒状を有する容器装填部と、前記容器の底部を容器の長さ方向に押圧嵌入したとき内容積が略無くなるまでピストンロッドにより押し込まれるピストンと、このピストンを装着したピストンロッドを所定ピッチずつ押動させる操作部とを具有し、前記ピストンはその直径方向に拡縮自在に形成されており、前記容器の底部を押し込むときに拡径させ、引き戻し時に縮径させて引き抜くようにし、
前記ピストンは、前記操作部の操作により間欠的に前進道するピストンロッドの先端に固定された軸受部材と、前記軸受部材の前側に配設され直径線上で二分割された半円形状の一対のピストン片とを含んで構成され、前記各ピストン片の直辺部は、該各ピストン片が前記軸受部材の前方へのみ回動可能となるように該軸受部材に枢支されており、前記ピストンロッドによる前記容器の押進時には両ピストン片が前記軸受部材に沿って平板状に展開することにより前記ピストンは拡径され、前記ピストンロッドの引き抜き時には該容器との摩擦により両ピストン片が前記軸受部材の前方へ回動して前記ピストンは縮径されるようになっていることを特徴とするガン式ディスペンサ。
【請求項５】
前記ピストン片は縮径方向に付勢するバネが付設されている請求項１〜４のうちいずれか１項に記載のガン式ディスペンサ。
【請求項６】
前記容器装填部は、前記容器を可及的密に内挿し得る内径を有するとともに内挿された該容器の底部を前記ピストンによって押圧し得るような位置に装填可能とされた外筒を有していることを特徴とする請求項１〜５のうちいずれか１項に記載のガン式ディスペンサ。
【請求項７】
一端に注出口を有し内部に粘性液状物、ペースト状物等の内容物を充填した可撓性資材からなる容器を抱持可能とされた略筒状を有する容器装填部と、前記容器の底部を容器の長さ方向に押圧嵌入したとき内容積が略無くなるまでピストンロッドにより押し込まれるピストンと、このピストンを装着したピストンロッドを所定ピッチずつ押動させる操作部とを具有し、前記ピストンは、半径線上で複数に分割されたピストン片の集合により構成し、ピストンロッドの操作により前記ピストン片が半径方向にスライドしてピストンの外径が拡径または縮径されるようにしたことを特徴とするガン式ディスペンサ。
【請求項８】
前記ピストンは、半径線上で複数個に分割され集合により前記容器の底部外面に可及的密に当接し得る突椀状周面を形成する複数のピストン片と、前記容器の底部に形成されて注出口側内面に相似の断面形状に突出する突出底部の外面側に可及的密に嵌合し得る円盤状のヘッド部材と、前記操作部の操作により間欠的に前進動するピストンロッドとを具え、このピストンロッドに固設された軸受部と前記各ピストン片の背部に設けられた軸受部とをそれぞれ連結レバーにより回動自在に連結し、前記ヘッド部材に前記各ピストン片を拡縮方向にスライド自在に支持し、前記ピストンロッドを押進したとき前記各連結レバーが拡張方向に回動して各ピストン片が拡径方向に移動することによりピストン径が拡大されるようになされている請求項７に記載のガン式ディスペンサ。
【請求項９】
前記ピストンは、半径線上で複数個に分割され集合により前記容器の底部外面に可及的密に当接し得る突椀状周面を形成する複数のピストン片と、前記容器の底部に形成されて注出口側内面に相似の断面形状に突出する突出底部の外面側に可及的密に嵌合し得る円盤状のヘッド部材と、前記操作部の操作により間欠的に前進動するピストンロッドとを具え、このピストンロッドの先端に先端側が小径となるコーン状周面を有するカム部材を固設するとともに前記ヘッド部材に前記各ピストン片を拡縮方向にスライド自在に支持し、前記各ピストン片の中心側内端部に前記カム部材に周面に摺接するテーパー状のカム面を設け、前記ピストンロッドを押進したとき前記カム部材によりピストン片を拡径方向にスライドさせてピストン径が拡大されるようになされている請求項７に記載のガン式ディスペンサ。
【請求項１０】
前記ピストンは、集合により円環状を呈するよう弧状周面を有する複数個のピストン片と、前記容器の底部に形成されて注出口側内面に相似の断面形状に突出する突出底部の外面側に可及的密に嵌合し得る円盤状のヘッド部材と、前記操作部の操作により間欠的に前進動するピストンロッドとを具え、前記ピストン片は各端部同士を遊着して円環状に形成し、前記ピストンロッドの先端に前記ピストン片の各端部を拡縮方向に移動させるカム部材を固設し、前記ヘッド部材に前記ピストン片を拡縮方向にスライド自在に支持し、前記ピストンロッドを回動させたとき前記カム部材が回動して各ピストン片を拡径方向に移動させることによりピストン径が拡大されるようになされている請求項７に記載のガン式ディスペンサ。
【請求項１１】
前記ピストンは、前記操作部の操作により間欠的に前進道するピストンロッドの先端に固定された軸受部材と、前記軸受部材の前側に配設され直径線上で二分割された半円形状の一対のピストン片とを含んで構成され、前記各ピストン片の直辺部は、該各ピストン片が前記軸受部材の前方へのみ回動可能となるように該軸受部材に枢支されており、前記ピストンロッドによる前記容器の押進時には両ピストン片が前記軸受部材に沿って平板状に展開することにより前記ピストンは拡径され、前記ピストンロッドの引き抜き時には該容器との摩擦により両ピストン片が前記軸受部材の前方へ回動して前記ピストンは縮径されるようになっていることを特徴とする請求項７に記載のガン式ディスペンサ。
【請求項１２】
前記ピストン片は縮径方向に付勢するバネが付設されている請求項８〜１１のうちいずれか１項に記載のガン式ディスペンサ。
【発明の詳細な説明】
【０００１】
【発明の属する技術分野】
本発明は、粘性を有する液状物またはペースト状物等の内容物が充填されている容器からその内容物を注出するためのディスペンサ、特にガン式ディスペンサに関する。
【０００２】
【従来の技術】
マヨネーズ、ケチャップ、各種クリーム類、からし、その他粘性を有する液状物、ペースト状物を食品に添加する際に、ハンバーガー、ホットドッグ等の外食用食品の量販店においては大量に処理する必要があることから上記の粘性液状物やペースト状物をその容器からディスペンサにより自動的に適量ずつ注出させるようにして販売時における能率化を図るようになされている。
【０００３】
上記ディスペンサの一つとして従来図１７（Ａ），（Ｂ）に示すものがある。このディスペンサは、前記の内容物ａが充填された可撓性に富む薄いプラスチック製の容器ｂを外筒ｃ内に装填し、その容器ｂの底部ｄをピストンｅで押圧し、その容器ｂの底部ｄ側を胴部ｆ内に押し込むようにして内容物ａを注出口ｇから押し出す構造のものがある（例えば特開平２−１３９３７７号公報）。
【０００４】
【発明が解決しようとする課題】
しかして上記構造による従来のディスペンサでは、ピストンｅによる押動により容器ｂの胴部ｆが２重になるように折り込まれながら進入するので、容器ｂ内の内容物ａを注出し終えたのちピストンｅを引き戻すとき、折り込まれた胴部ｆがピストンｅにからみついてピストンｅをスムーズに引き抜くことが困難となり、量販店で使用するとき１本の容器ｂを使い終えた後の処理に手間どることになって、作業性、作業能率に支障をきたすという問題点があった。
【０００５】
さりとてピストンｅの外径を使用後引き抜きやすい程度に小径にすると、容器ｂの底部ｄ側が折り込まれて行く際にその折り込まれる胴部ｆの周囲に内容物ａが残留するとともに、ピストンｅの背部側の胴部ｆ間に内容物ａが入り込み、そのためピストンｅを引き抜くときその内容物ａが２つ折り状となっている胴部ｆに封じ込められて胴部ｆの内径が減少し、ピストンｅの引き抜きが一層困難になるという問題に加え、使用後の容器ｂの廃棄処理時に内容物ａが残ったままとなって、環境汚染等の別の問題をもたらすことになる。
【０００６】
本発明はこれに鑑み、容器内に内容物が残留することなく略全量を注出させることができながら全量注出後のピストンの引き抜きを容易に行えるようにすることを課題としてなされたものである。
【０００７】
【課題を解決するための手段】
本発明のガン式ディスペンサは、一端に注出口を有し内部に粘性液状物、ペースト状物等の内容物を充填した可撓性資材からなる容器を抱持可能とされた略筒状を有する容器装填部と、前記容器の底部を容器の長さ方向に押圧嵌入したとき内容積が略無くなるまでピストンロッドにより押し込まれるピストンと、このピストンを装着したピストンロッドを所定ピッチずつ押動させる操作部とを具有し、前記ピストンはその直径方向に拡縮自在に形成されており、前記容器の底部を押し込むときに拡径させ、引き戻し時に縮径させて引き抜くようにし、前記ピストンは、半径線上で複数個に分割され集合により前記容器の底部外面に可及的密に当接し得る突椀状周面を形成する複数のピストン片と、前記容器の底部に形成されて注出口側内面に相似の断面形状に突出する突出底部の外面側に可及的密に嵌合し得る円盤状のヘッド部材と、前記操作部の操作により間欠的に前進動するピストンロッドとを具え、このピストンロッドに固設された軸受部と前記各ピストン片の背部に設けられた軸受部とをそれぞれ連結レバーにより回動自在に連結し、前記ヘッド部材に前記各ピストン片を拡縮方向にスライド自在に支持し、前記ピストンロッドを押進したとき前記各連結レバーが拡張方向に回動して各ピストン片が拡径方向に移動することによりピストン径が拡大されるようになされていることを特徴とする。
【０００８】
また、本発明の他のガン式ディスペンサは、一端に注出口を有し内部に粘性液状物、ペースト状物等の内容物を充填した可撓性資材からなる容器を抱持可能とされた略筒状を有する容器装填部と、前記容器の底部を容器の長さ方向に押圧嵌入したとき内容積が略無くなるまでピストンロッドにより押し込まれるピストンと、このピストンを装着したピストンロッドを所定ピッチずつ押動させる操作部とを具有し、前記ピストンはその直径方向に拡縮自在に形成されており、前記容器の底部を押し込むときに拡径させ、引き戻し時に縮径させて引き抜くようにし、前記ピストンは、半径線上で複数個に分割され集合により前記容器の底部外面に可及的密に当接し得る突椀状周面を形成する複数のピストン片と、前記容器の底部に形成されて注出口側内面に相似の断面形状に突出する突出底部の外面側に可及的密に嵌合し得る円盤状のヘッド部材と、前記操作部の操作により間欠的に前進動するピストンロッドとを具え、このピストンロッドの先端に先端側が小径となるコーン状周面を有するカム部材を固設するとともに前記ヘッド部材に前記各ピストン片を拡縮方向にスライド自在に支持し、前記各ピストン片の中心側内端部に前記カム部材に周面に摺接するテーパー状のカム面を設け、前記ピストンロッドを押進したとき前記カム部材によりピストン片を拡径方向にスライドさせてピストン径が拡大されるようになされていることを特徴とする。
【０００９】
上記いずれのピストンにおいても、ピストンロッドを押動（注出動作）を行っている限りピストンは拡径状態におかれるので、内容物の注出工程中は容器の底部全域を均等に押圧して容器の胴部の内周面に密着した状態で押し込むことができ、内容物をすべて押し出すことができる。また全量注出後ピストンを引き戻すべくピストンロッドを引き抜く方向へ作動させれば、ピストンの拡径状態への拘束が解かれるので、折り込まれた容器の銅部に災いされることなく軽く引き抜くことができる。
【００１０】
本発明の他のガン式ディスペンサは、一端に注出口を有し内部に粘性液状物、ペースト状物等の内容物を充填した可撓性資材からなる容器を抱持可能とされた略筒状を有する容器装填部と、前記容器の底部を容器の長さ方向に押圧嵌入したとき内容積が略無くなるまでピストンロッドにより押し込まれるピストンと、このピストンを装着したピストンロッドを所定ピッチずつ押動させる操作部とを具有し、前記ピストンはその直径方向に拡縮自在に形成されており、前記容器の底部を押し込むときに拡径させ、引き戻し時に縮径させて引き抜くようにし、前記ピストンは、集合により円環状を呈するよう弧状周面を有する複数個のピストン片と、前記容器の底部に形成されて注出口側内面に相似の断面形状に突出する突出底部の外面側に可及的密に嵌合し得る円盤状のヘッド部材と、前記操作部の操作により間欠的に前進動するピストンロッドとを具え、前記ピストン片は各端部同士を遊着して円環状に形成し、前記ピストンロッドの先端に前記ピストン片の各端部を拡縮方向に移動させるカム部材を固設し、前記ヘッド部材に前記ピストン片を拡縮方向にスライド自在に支持し、前記ピストンロッドを回動させたとき前記カム部材が回動して各ピストン片を拡径方向に移動させることによりピストン径が拡大されるようになされていることを特徴とする。
【００１１】
これによれば、ピストンロッドを回転操作するだけでピストン径の拡縮ができる。
【００１２】
本発明のガン式ディスペンサは、一端に注出口を有し内部に粘性液状物、ペースト状物等の内容物を充填した可撓性資材からなる容器を抱持可能とされた略筒状を有する容器装填部と、前記容器の底部を容器の長さ方向に押圧嵌入したとき内容積が略無くなるまでピストンロッドにより押し込まれるピストンと、このピストンを装着したピストンロッドを所定ピッチずつ押動させる操作部とを具有し、前記ピストンはその直径方向に拡縮自在に形成されており、前記容器の底部を押し込むときに拡径させ、引き戻し時に縮径させて引き抜くようにし、前記ピストンは、前記操作部の操作により間欠的に前進道するピストンロッドの先端に固定された軸受部材と、前記軸受部材の前側に配設され直径線上で二分割された半円形状の一対のピストン片とを含んで構成され、前記各ピストン片の直辺部は、該各ピストン片が前記軸受部材の前方へのみ回動可能となるように該軸受部材に枢支されており、前記ピストンロッドによる前記容器の押進時には両ピストン片が前記軸受部材に沿って平板状に展開することにより前記ピストンは拡径され、前記ピストンロッドの引き抜き時には該容器との摩擦により両ピストン片が前記軸受部材の前方へ回動して前記ピストンは縮径されるようになっていることを特徴とする。
【００１３】
これにより、前記ピストンロッドによる前記容器の押進時には、拡径されたピストンによって当該容器の底部を全体的に押圧することができ、一方、前記ピストンロッドの引き抜き時には、縮径されたピストンを外筒及び／又は容器からスムーズに引き抜くことができる。
【００１４】
上記いずれかの発明においても、ピストン片に縮径方向へ付勢するバネを付設することができ、このようにすればピストンの引き抜き時にピストンを確実に縮径させることができるので一層引き抜きを確実に行わせることができる。
【００１５】
また、上記いずれかの発明において、前記容器装填部は、前記容器を可及的密に内挿し得る内径を有するとともに内挿された該容器の底部を前記ピストンによって押圧し得るような位置に装填可能とされた外筒を有していてもよい。こうしたことにより、前記容器装填部に配置されている外筒によって容器を支持した状態で、当該容器をピストンによって確実に押圧することができる。
【００１６】
本発明のガン式ディスペンサは、一端に注出口を有し内部に粘性液状物、ペースト状物等の内容物を充填した可撓性資材からなる容器を抱持可能とされた略筒状を有する容器装填部と、前記容器の底部を容器の長さ方向に押圧嵌入したとき内容積が略無くなるまでピストンロッドにより押し込まれるピストンと、このピストンを装着したピストンロッドを所定ピッチずつ押動させる操作部とを具有し、前記ピストンは、半径線上で複数に分割されたピストン片の集合により構成し、ピストンロッドの操作により前記ピストン片が半径方向にスライドしてピストンの外径が拡径または縮径されるようにしたことを特徴とする。
【００１７】
こうしたことにより、ピストンの押し込み時にはピストンを容器の底部全域を押圧して容器の胴部内に可及的密に嵌入させ得る外径に拡径させ、容器内の内容物を全量注出し終ったときにピストンの外径を縮径させて引き抜くことができ、これにより容器内に内容物が残留することなく注出させることができながら、容器内の内容物を全量注出し終えたのちのピストンの引き抜きを容易に行うことができる。
【００１８】
上述したガン式ディスペンサにおいては、前記ピストンは、半径線上で複数個に分割され集合により前記容器の底部外面に可及的密に当接し得る突椀状周面を形成する複数のピストン片と、前記容器の底部に形成されて注出口側内面に相似の断面形状に突出する突出底部の外面側に可及的密に嵌合し得る円盤状のヘッド部材と、前記操作部の操作により間欠的に前進動するピストンロッドとを具え、このピストンロッドに固設された軸受部と前記各ピストン片の背部に設けられた軸受部とをそれぞれ連結レバーにより回動自在に連結し、前記ヘッド部材に前記各ピストン片を拡縮方向にスライド自在に支持し、前記ピストンロッドを押進したとき前記各連結レバーが拡張方向に回動して各ピストン片が拡径方向に移動することによりピストン径が拡大されるようになされていることが好ましい。
【００１９】
あるいは、上述したガン式ディスペンサにおいては、前記ピストンは、半径線上で複数個に分割され集合により前記容器の底部外面に可及的密に当接し得る突椀状周面を形成する複数のピストン片と、前記容器の底部に形成されて注出口側内面に相似の断面形状に突出する突出底部の外面側に可及的密に嵌合し得る円盤状のヘッド部材と、前記操作部の操作により間欠的に前進動するピストンロッドとを具え、このピストンロッドの先端に先端側が小径となるコーン状周面を有するカム部材を固設するとともに前記ヘッド部材に前記各ピストン片を拡縮方向にスライド自在に支持し、前記各ピストン片の中心側内端部に前記カム部材に周面に摺接するテーパー状のカム面を設け、前記ピストンロッドを押進したとき前記カム部材によりピストン片を拡径方向にスライドさせてピストン径が拡大されるようになされていてもよい。
【００２０】
あるいは、上述したガン式ディスペンサにおいては、前記ピストンは、集合により円環状を呈するよう弧状周面を有する複数個のピストン片と、前記容器の底部に形成されて注出口側内面に相似の断面形状に突出する突出底部の外面側に可及的密に嵌合し得る円盤状のヘッド部材と、前記操作部の操作により間欠的に前進動するピストンロッドとを具え、前記ピストン片は各端部同士を遊着して円環状に形成し、前記ピストンロッドの先端に前記ピストン片の各端部を拡縮方向に移動させるカム部材を固設し、前記ヘッド部材に前記ピストン片を拡縮方向にスライド自在に支持し、前記ピストンロッドを回動させたとき前記カム部材が回動して各ピストン片を拡径方向に移動させることによりピストン径が拡大されるようになされていてもよい。
【００２１】
あるいは、上述したガン式ディスペンサにおいては、前記ピストンは、前記操作部の操作により間欠的に前進道するピストンロッドの先端に固定された軸受部材と、前記軸受部材の前側に配設され直径線上で二分割された半円形状の一対のピストン片とを含んで構成され、前記各ピストン片の直辺部は、該各ピストン片が前記軸受部材の前方へのみ回動可能となるように該軸受部材に枢支されており、前記ピストンロッドによる前記容器の押進時には両ピストン片が前記軸受部材に沿って平板状に展開することにより前記ピストンは拡径され、前記ピストンロッドの引き抜き時には該容器との摩擦により両ピストン片が前記軸受部材の前方へ回動して前記ピストンは縮径されるようになっていてもよい。
【００２２】
上記いずれかの発明においても、ピストン片に縮径方向へ付勢するバネを付設することができ、このようにすればピストンの引き抜き時にピストンを確実に縮径させることができるので一層引き抜きを確実に行わせることができる。
【００３３】
【発明の実施の形態】
以下、図面を参照して本発明の各実施の形態について説明する。
【００３４】
第１の実施の形態
図１乃至図１３は、本発明の第１の実施の形態を示す図である。図１は、本発明の第１の実施の形態におけるガン式ディスペンサ１の一例の外観を示し、図２は、本発明の第１の実施の形態における容器のその要部を断面として示している。
【００３５】
上記容器２は、樹脂材料によりブロー成形等で形成される可撓性に富む構造のもので、円筒状の胴部３の一端に注出口４が開口され、他端は底部５により閉鎖されており、前記注出口４には内容物の注出目的に叶う形状のノズルが切設されたシート６が貼布されている。その外面は使用時に剥離させるシールで封着される。
【００３６】
前記容器２の底部５は、前記注出口４が設けられる端部の内面形状に相似する形状に内方に突出する突出底部７を有し、容器２の胴部３の下端から所要の幅を有する凹溝８と、前記突出底部７の周縁と容器底部５の外周縁との間に外方に突出する１条の突条９とが周設されており、この突条９の裾部分と容器底部５の外周縁との間は環状の凹部１０とされている。したがって容器底部５がピストンで押圧されたとき前記凹溝８の容器底部５との境界部分８ａが該凹溝８の存在により最先に内側に折り込まれる一方、前記突条９部分で均等に内方へ折り込まれることになる。
【００３７】
前記ガン式ディスペンサ１の基本構成は概ね公知に属するもので、ここに示す形態は円筒を軸方向に２分割した一方の半割り形状を有する受部材１１と、この受部材１１の一側縁にヒンジ１２，１２…により開閉自在に枢支された他方の半割り形状のカバー１３とで構成されていて、前記カバー１３を閉止したときその内部に前記容器２を抱持可能とする略円筒状の容器装填部１４を具え、前記受部材１１の基端には固定ハンドル１５が固着され、この固定ハンドル１５にトリガレバー１６の基端部が軸１７により取り付けられて操作部が構成され、また受部材１１の先端には前記容器２の注出口４が突出するよう嵌合し得るリング部材１８が固着されている。
【００３８】
前記固定ハンドル１５の基端部にはピストンロッド１９が挿通され、該固定ハンドル１５内に組み込まれた周知のラチエット機構（図示省略）により前記トリガレバー１６を握って回動させたとき前記ピストンロッド１９を所定ピッチずつ間欠的に前進動させ、ラチエットを開放させることによりピストンロッド１９を引き戻すことができるようになっている。１９ａはその引き戻し用のハンドルである。
【００３９】
なお前記容器装填部１４は、必ずしも円筒を２分割した構成に限られるものではなく、最初から円筒状内周面を有する筒部材で構成し、先端のリング部材１８を着脱式として先端から容器２の装填・取り出しを行うようにしてもよく、またその構成材料は保形性を有する資材であれば使用可能である。
【００４０】
前記ピストンロッド１９の先端には、本発明に係る容器２の底部５を押圧するピストン２０を具えている。
【００４１】
次に上記ピストン２０の具体的構成例について説明する。
【００４２】
図３〜図６は、請求項５に記載のピストンの一実施形態を示すもので、半径線上で複数個（図では４個）に分割され集合により前記前記容器２の底部５の外面に可及的密に当接し得る突椀状周面を形成するピストン片２１，２１…と、前記容器２の底部５に形成された突出底部７の外面側の凹み部分に可及的密に嵌合し得る円盤状のヘッド部材２２とを具えている。これらピストン片２１，２１…の外周部は、その一側が突片２１ａ、他側が凹部２１ｂとされていて互いに入り組まれ、拡径時に隣位のピストン片２１との境界が際立たないようになっている。
【００４３】
前記ピストンロッド１９の先端近くには４個の軸受部２３，２３…がそのボス部２３ａにより固着され、また前記ピストン片２１，２１…の背部の外周近くには軸受部２４，２４…が固定的に設けられており、前記ピストンロッド１９の軸受部２３とピストン片２１の軸受部２４とが連結レバー２５，２５…により傘骨のようにそれぞれ回動自在に連結されている。
【００４４】
一方、前記ピストン片２１，２１…にはその軸心側から放射方向に長い長孔２６が穿設されており、この長孔２６に遊動的に挿通する軸部材２７が前記ヘッド部材２２に穿設された孔２８に嵌挿されて止めネジ２９により固定され、これによりヘッド部材２２に対し各ピストン片２１，２１…は軸部材２７と長孔２６との摺動で各ピストン片２１，２１…の外周で形成される仮想円が拡縮する方向にスライド自在とされている。
【００４５】
したがってピストンロッド１９を前進動させることにより傘骨が開くように連結レバー２５，２５…が回動して各ピストン片２１，２１…が拡径され、ピストンロッド１９を引き戻すことにより連結レバー２５，２５…が閉じ方向に回動して各ピストン片２１，２１…が縮経される。
【００４６】
前記ピストン片２１，２１…の外周部分は直線部２１ｃとされ、この直線部２１ｃの幅Ｔを少なくとも６mmとすることによりピストン２０と容器２の胴部３との接触が良好に保たれ、容器２内の内容物をより確実に注出することができる。
【００４７】
図６に使用状態を容器２を断面表示して示すように、ピストン２０の押し込み時には同図に実線で図示するように容器２の後半部が胴部３内に押し込まれるとき拡径状態となって容器１２の底部５を注出口４側の内面に密接するように押し込むことができる。このとき容器２の胴部３の内面と押し込まれる胴部３の外周面とが隙間無く押し込まれ、内部に内容物の残留は殆んど生じない。
【００４８】
図６のようにピストン２０を押しきったのちピストンロッド１９を引き戻すと、連結レバー２５，２５…が閉じ方向に回動してピストン片２１，２１…の外周で形成される仮想円が縮経し、図６に鎖線で示すようにその外周が折り込まれた容器２の胴部３の内面から離間し、何の抵抗も受けずに引き抜くことができる。
【００４９】
図７〜図９は請求項６に記載のピストンの一実施形態を示すもので、前記実施形態と同様に、半径線上で複数個（図では４個）に分割され集合により前記容器２の底部５の外面に可及的密に当接し得る突椀状周面を形成するピストン片３１，３１…と、前記容器２の底部５の突出底部７の外面に可及的密に嵌合し得る円盤状のヘッド部材３２とを具えており、外観上は前記実施形態と同様である。
【００５０】
ピストンロッド１９の先端には、先端側が小径となるコーン状カム面３０ａを有するカム部材３０が固設されている。
【００５１】
前記ピストン片３１，３１…にはその軸心側から放射方向に長い長孔３３が穿設されており、この長孔３３に遊動的に挿通する軸部材３４がピストンロッド１９に固着のボス部３５の孔３６と前記ヘッド部材３２に穿設された孔３７とにわたり嵌挿されて止ネジ３８により固定され、これによりヘッド部材３２に対し各ピストン片３１，３１…は軸部材３４と長孔３３との摺動で各ピストン片３１，３１…の外周で形成される仮想円が拡縮する方向にスライド自在とされている。前記各ピストン片３１，３１…の軸心側で前記カム部材３０に面する側は凹弧面状のテーパー面３９とされ、各ピストン片３１，３１…のテーパー面３９，３９…の集合により前記カム部材３０のコーン状カム面３０ａと整合するコーン状の凹部が構成されるようになっており、該カム部材３０を押入することにより各ピストン片３１，３１…のテーパー面３９が押されて放射方向にスライドし、ピストン径が拡大されるようになっている。
【００５２】
この実施形態の場合も、前記実施形態と同様に各ピストン片３１，３１…の外周部は、その一側が突片３１ａ，他側が凹部３１ｂとされていて互に入り組み合うようになっており、また各ピストン片３１，３１…の外周部分は幅Ｔの直線部３１ｃとされている。
【００５３】
前記ピストン２０を後退させたときピストン片３１，３１…が確実に縮径するよう、図８に例示するように各ピストン片３１，３１…にバネ収容部３１ｄが形成され、これらバネ収容部３１ｄ，３１ｄ…にわたってリング状のコイルバネ４０が張力を与えられて内装され、ピストン２０の後退に追従してピストン片３１，３１…が自動的に縮経方向にスライドするようになされている。
【００５４】
したがってこの実施形態においては、ピストンロッド１９を前進させるとその先端のカム部材３０がピストン片３１，３１…の中心部のテーパー状のカム面３９，３９を押しながら進入してカム部材３０のカム面３０ａにより各ピストン片３１，３１…をバネ４０による付勢に抗して押し広げ、各ピストン片３１，３１…の外周縁で構成される仮想円が拡径して容器底部５の全域を押圧し、容器２の胴部３の後半部を前半部の胴部３内に折り込んで押し込むことができる。
【００５５】
内容物の全量注出後ピストンロッド１９を若干引き戻すと、カム部材３０がピストン片３１，３１…の中心部カム面３９，３９…から抜け出るにつれて各ピストン片３１，３１…はバネ４０の縮径方向への付勢力により縮径し、抽出し終わった後に容器２の胴部３内から容易に引き抜くことができる。
【００５６】
図１０〜図１３は請求項７に記載のピストンの一実施形態を示すもので、集合により円環状を呈するよう弧状周面４１ａを有する複数個（図では４個）のピストン片４１，４１…と、前記容器２の底部５に形成されている突出底部７の外面側に可及的密に嵌合し得る円盤状のヘッド部材４２と、操作部のトリガレバー１６の操作により間欠的に前進動および任意に回転操作可能とされたピストンロッド１９とを具えている。
【００５７】
前記ピストン片４１，４１…は、一端に長孔４３を有し、前記ヘッド部材４２とリング部材４４とを結合する軸４５，４５…が遊動的に挿通されて各ピストン片４１，４１…が拡縮自在に連結されている。この場合もピストン片４１の外周の幅Ｔは６mm程度の直線状とされている。
【００５８】
前記ピストンロッド１９の先端にはカム部材４６が固着されている。このカム部材４６は、前記ピストン片４１，４１…で囲まれた内部に位置し、周面に各ピストン片４１，４１…の端部が当接するカム面を有している。
【００５９】
このカム面は、図１２にみられるように高所４６ａと低所４６ｂおよびストッパ４６ｃが各ピストン片４１，４１…に対応して４組形成されており、図１２においてカム部材４６を矢印方向に回転させたときピストン片４１が実線図示位置から鎖線図示の状態になってピストン片４１の端部が高所４６ａで押されながらストッパ４６ｃに当たって停止し、これにより各ピストン片４１，４１…は長孔４３と軸４５との摺動で拡径状態となり、カム部材を矢印とは反対方向に回転させることにより縮径されるようになっている。
【００６０】
図において４７，４８は前記リング部材４４、カム部材４６を直接回転させてピストン片４１，４１…を拡縮させるためのつまみを示す。また前記カム部材４６の回転でピストン片４１，４１…を縮径させる際に確実に縮径させるため各ピストン片４１，４１…に縮径方向に付勢するバネを付設するようにしてもよい。
【００６１】
第２の実施の形態
図１４は、本発明の第２の実施の形態におけるガン式ディスペンサ１の一例の外観を示している。図１５は、本実施の形態におけるピストンの一例の構成を概略的に示している。図１６は、外筒に内挿された容器をピストンによって押圧する過程の概略と、外筒及び容器からピストンを引き抜く過程の概略とを説明するための図である。なお、本実施の形態において、上述した第１の実施の形態と同一部分には同一符号を付して詳細な説明は省略する。
【００６２】
本実施の形態における容器装填部１４は、図１４に示すように、容器２を可及的密に内挿し得る内径を持つ外筒５０を有している。当該外筒５０は、容器装填部１４に装脱自在に設けられており、内挿された容器２の底部をピストン２０によって押圧し得るような位置に当該外筒５０を装填することができるようになっている。
【００６３】
この外筒５０は、その前端側すなわちピストン２０による容器２の押圧方向前側に壁部５２を有しており、当該壁部５２は、外筒５０に容器２が挿入された際に当該容器２の注出口４周辺の容器肩部２ａと密接し得るようになっている。当該壁部５２には開口部５３が形成されており、外筒５０に内挿された容器２の注出口４は当該開口部５３から突出しうるようになっている。一方、この外筒５０の後端側は開口された状態となっており、この外筒５０の当該後端側から内部に容器２を挿入することができるようになっている。
【００６４】
そしてこの外筒５０は、当該外筒５０の内部に容器２が挿入されたときに当該容器２の底部側の端部が当該外筒５０から所定長さ突出するような軸長、すなわち軸方向の長さを有している（図１６（Ａ）参照）。
【００６５】
一方、ピストンロッド１９の先端に配設されたピストン２０は、図１５（Ａ）（Ｂ）に示すように、ピストンロッド１９の先端に固定された軸受部材５４と、軸受部材５４の前側すなわちピストン２０による容器２の押圧方向前側に配設された一対のピストン片５１と、軸受部材５４の前側であって両ピストン片５１の間に配設され各ピストン片５１を枢支するピストン片支持部５５と、を有している。
【００６６】
一対のピストン片５１の各々は、円盤状部材が直径線上で二分割されたような半円形状を有しており、両ピストン片５１は、円盤状を形成するように配設されている（図１５（Ｂ）参照）。そして、各ピストン片５１は、その直辺部５１ａがピストン片支持部５５のうち軸受部材５４に近接した位置で枢支されており、当該枢支点５１ｂを中心にして軸受部材５４の前側でのみ回動可能となるように構成されている。このように、各ピストン片５１を軸受部材５４に近接した位置で枢支することにより、軸受部材５４の前側へ各ピストン片５１を回動させる際に生じる各ピストン片５１の半径方向へのふくらみを効果的に抑制することができる。すなわち、軸受部材５４から離れた位置を中心にして各ピストン片５１を回動させる場合に、軸受部材５４に沿って展開しているピストン片５１を前方へ回動させると、ピストン片５１の半径方向へのふくらみが大きくなる。これに対し、軸受部材５４に近接した位置を中心にして各ピストン片５１を回動させる場合には、当該ピストン片の半径方向へのふくらみが低減されることとなる。従って、回動の際に生じる各ピストン片５１の半径方向へのふくらみを抑制する観点からは、各ピストン片５１の枢支点を軸受部材５４にできる限り近接した位置に設けることが好ましい。
【００６７】
ピストン片支持部５５には、各ピストン片５１の前側方向への回動を制限する回動制限部５６が形成されている。本実施の形態では、その中間部において各ピストン片５１に対応するようにして設けられた傾斜部が回動制限部５６として機能するようになっている（図１５（Ａ）参照）。従って、各ピストン片５１の回動範囲は、軸受部材５４とピストン片支持部５５の回動制限部５６（傾斜部）とによって規定されており、各ピストン片５１が軸受部材５４に沿って平板状に展開することによりピストン２０は拡径され（図１５（Ａ）の実線部分を参照）、各ピストン片５１が軸受部材５４の前方へ回動することによりピストン２０は縮径されるようになっている（図１５（Ａ）の二点鎖線部を参照）。
【００６８】
なお、各ピストン片５１が軸受部材５４に沿って円盤状（平板状）に展開した状態にある場合、ピストン２０の円盤直径方向の断面の大きさは、外筒５０の円盤直径方向の断面の大きさに対応してる。このため、ピストン２０によって容器２の底部を押圧して容器２の胴部２ｂを２重に折り込むようにしながら当該ピストン２０を押動させる際、押動するピストン２０と外筒５０との間には、２重に折り込まれた容器２の胴部２ｂのみが介在することとなり、容器２内に充填されている内容物が介在しないようになっている（図１６（Ｂ）（Ｃ）参照）。
【００６９】
また、前記外筒５０の壁部５２の内側と、ピストン２０のうち前記外筒５０に内挿された容器２の底部に接触する部分とは、相互に対応した形状を有しており、間隙を設けることなく両者を密着接触させることが可能となっている（図１６（Ｃ）参照）。
【００７０】
他の構成は、図１乃至図１３に示されている第１の実施の形態と略同一である。
【００７１】
以下、図１４乃至図１６を参照して、内容物が充填されている容器２を本実施の形態のガン式ディスペンサ１に装填する過程、ガン式ディスペンサ１に装填された容器２の注出口４から内容物を吐出させる過程、及び、容器２をガン式ディスペンサ１から取り外す過程の各々について説明する。
【００７２】
まず、図１４に示すように、粘性液状物等の内容物が充填された容器２を外筒５０に挿入して、容器２の注出口４を外筒５０の前端側に設けられた壁部５２の開口部５３から突出させる。この時、容器２の注出口４周辺の容器肩部２ａと外筒５０の壁部５２の内側とが密接するように、容器２が外筒５０の内部に挿入される。このため、容器２は外筒５０によって的確に支持され、また、容器２の注出口４は開口した状態が保持されることとなる。
【００７３】
そして、容器２を内挿した外筒５０は容器装填部１４に装填され、当該壁部５２の外側と容器装填部１４の先端に設けられたリング部材１８とが密接した状態に、或いは両者が近接した状態に配置される。これにより、容器２がガン式ディスペンサ１に装填され、容器２の注出口４から内容物を吐出させる準備が整えられる。
【００７４】
そして、トリガーレバー１６を握って回動させることによりピストンロッド１９を所定ピッチずつ間欠的に前進道させて、ピストンロッド１９の先端に設けられたピストン２０と、ガン式ディスペンサ１に装填されている容器２の底部とを接触させる（図１６（Ａ）参照）。この時、ピストン２０を構成する一対のピストン片５１の各々は、容器２の底部に押圧されて軸受部材５４に沿って平板状に展開し、ピストン２０は拡径された状態で容器２の底部に接触することとなる。
【００７５】
そして、トリガーレバー１６を更に回動させてピストンロッド１９を更に前進動させることにより、可撓性資材からなる容器２の底部に接触したピストン２０は、当該容器２を更に押圧して外筒５０の内部へ押動する（図１５（ｂ）参照）。このピストン２０の押動に伴って、容器２に充填されている内容物は容器２の注出口４から吐出されるので、トリガーレバー１６の回動を調節してピストン２０の押動を調整することにより、注出口４から吐出される内容物の吐出量を適宜調節することが可能である。このため、容器２に充填されている内容物を、注出口４から適量だけ吐出させて、ハンバーガー等の食品に添加することができるようになっている。
【００７６】
ところで、押動するピストン２０によって容器２の底部を押圧する際には、容器２が２重に折り込まれずに前方へつぶれてしまうことを防いで、容器２を確実に２重に折り込んでいくこと（図１６参照）が好ましい。一般的に、ピストン２０が容器２の底部の中央部のみを押圧する場合には、比較的容易に容器２を２重に折り込んだ状態とすることが可能である。これに対し、本実施の形態のピストン２０のように、（拡径した状態の）ピストン２０が容器２の底部の略全体を押圧する場合には、容器２は２重に折り込まれることなく前方へつぶれていってしまう傾向があり、とりわけ容器２の底部側の端部においてそのような傾向が顕著である。しかしながら本実施の形態では、容器２は底部側の端部が突出した状態で外筒５０に挿入されているので（図１６（Ａ）参照）、ピストン２０によって容器２の底部を押圧した際に生じる当該容器２の底部側端部の変形が、外筒５０によって直接的に妨げられることはない。このように、容器２の底部側端部は外筒５０によって制限されることなく比較的自由に変形し、容器２の底部がピストン２０によって押圧されると、底部側端部は底面の直径方向へ拡がるようにして変形する。従って、ピストン２０によって容器２の底部を押圧すると、容器２の底部はピストン２０の押圧面に沿って変形し、ピストン２０は容器２の底部の中央部分を押圧しているような状態となる。このため、本実施の形態では、ピストン２０をスムーズに押動（前進）させる際に、比較的容易に容器２を２重に折り込んだ状態とすることができる。なお、このような外筒５０の軸長は各種の要素を考慮して適宜決定されうるようになっており、例えばピストン２０の押動に伴う容器２の折り込み状態、ピストン２０にかかる負荷、容器２の支持状態、或いはピストン２０と外筒５０との間における容器２のしごきの状態等、の各種要素を考慮して当該軸長を決定することも可能である。
【００７７】
一方、容器２を押圧する拡径したピストン２０は、外筒５０の直径方向断面の大きさに対応した円盤状の直径方向断面を有しているので、外筒５０の内部へピストン２０を押動させると、容器２の胴部２ｂがピストン２０と外筒５０との間でしごかれるようにして徐々に２重に折り込まれていく。これにより、２重に折り込まれた容器２内に内容物が残存してしまうということを効果的に防ぐことができる。
【００７８】
そして、トリガーレバー１６を更に回動させてピストンロッド１９を更に前進動させることにより、最終的には、外筒５０の壁部５２とピストン２０とが、２重に折り畳まれた容器２のみを介して接触し、容器２内の略全部の内容物が注出口４から吐出される。この時、前記外筒５０の壁部５２の内側と、ピストン２０のうち前記外筒５０に内挿された容器２の底部に接触する部分とは、可撓性資材からなる容器２を介して相互に密接可能な形状を有している。このため、ピストン２０と外筒５０の壁部５２との間で２重に折り込まれた容器２内に内容物が残存してしまうことを効果的に防ぐことができる。
【００７９】
そして、ラチエットを開放して引き戻し用のハンドル１９ａによりピストンロッド１９を引き戻すことによって、外筒５０及び／又は容器２からピストン２０を引き抜くことができる。この時、ピストン２０を構成する各ピストン片５１の外周部と、当該各ピストン片５１の外周部と接触している２重に折り込まれた状態の容器２との間では、摩擦が生じることとなる。この摩擦によって、各ピストン片５１は枢支点５１ｂを中心に軸受部材５４の前方へ回動し、ピストン２０は縮径される（図１６（Ｃ）二点鎖線部参照）。これにより、縮径したピストン２０と当該ピストン２０に接触する外筒５０及び／又は容器２との間に働く密着力（接触面に垂直に作用する力）は低減され、或いは両者の接触が解放されるので、外筒５０及び／又は容器２からピストン２０を引き抜く際に必要とされる引き抜き力を低減させることができる。
【００８０】
そして、ピストン２０が引き抜かれた後に、容器装填部１４から外筒５０及び容器２を取り外して、当該外筒５０から当該容器２を取り外すことにより、使用済みの容器２をガン式ディスペンサ１から取り外すことができる。
【００８１】
なお、本実施の形態のガン式ディスペンサ１は上述のものに限定されるものではない。例えば、第１の実施の形態のガン式ディスペンサ１が具備するカバー１３を備えつけて、容器２が内部に挿入された外筒５０を当該カバー１３によって支持させることも可能である。
【００８２】
また、本実施の形態のピストン２０は、図１５に明示されているタイプのピストンに限定されるものではない。例えば上述の図３乃至図１３に明示されているタイプのピストンやこれに類するピストンを、本実施の形態のピストン２０として用いることも可能である。
【００８３】
また、本発明は上述の各実施の形態に限定されるものではなく、その趣旨を逸脱しない範囲で設計変更等を加えることも可能であり、そのようなものも本件の保護対象に含まれる。
【００８４】
【発明の効果】
以上説明したように本発明によれば、ピストンの押し込み時にはピストンを容器底部の全域を押圧して容器の胴部内に可及的密に嵌入させ得る外径に拡径させ、容器内の内容物を全量注出し終えたのちピストンの外径を縮径させて引き抜くことができるので、容器内に内容物が残留することなく注出させることができるとともに全量注出後のピストンの引き抜きを容易に行うことができる。
【００８５】
これにより使用済みの容器を廃棄するとき内容物が残留していないので、廃棄物処理時の環境問題も全く生じることがない。
【００８６】
特に請求項６に記載の発明によれば、所定位置に装填可能とされた外筒によって容器が内挿支持されるので、容器の支持状態を外筒によって調整することができる。従って、本発明では、様々なタイプの容器やガン式ディスペンサに対し、外筒の形状等を適宜変更することによって柔軟に対応することが可能である。このように本発明の適用範囲は広範に渡り、従来使用されてきた汎用のガン式ディスペンサに対しても本発明を有効に適用することが可能である。
【００８９】
請求項１，２，８，９に記載のいずれのピストンも、ピストンロッドを押動して注出動作を行っている限りピストンは拡径状態におかれるので、内容物の注出工程中は容器底部の全域を均等に押圧して容器胴部の下半部内にぴったりと押し込むことができ、これにより容器内の内容物をすべて押し出すことができる。
【００９０】
また全量注出後ピストンロッドを引き抜き方向に作動させれば、ピストンが縮径して抵抗なく軽く引き抜くことができ、容器の交換時における操作を容易迅速にでき、量販店などにおける作業能率を格段に向上させることができる。
【００９１】
請求項３，１０に記載のピストンは、ピストンロッドの引き抜き時に該ロッドを若干回転させる操作を加えるだけで１，２，８，９に記載のピストンと同等の機能を発揮させることができる。
【００９２】
請求項４，１１に記載のピストンは、ピストンと容器との間の摩擦によって各ピストン片の回動が調整され、ピストンの拡径、縮径を調節することができる。
【００９３】
上記いずれの発明においても、ピストン片に縮径方向へ付勢するバネを付設すれば、ピストンの引き抜き時にピストンを確実に縮径させることができるので一層引き抜きを容易に行わせることができる。
【図面の簡単な説明】
【図１】本発明によるガン式ディスペンサの第１の実施の形態を示す斜視図。
【図２】本発明におけるガン式ディスペンサ用容器の一実施形態を示す要部を断面とした側面図。
【図３】本発明におけるピストンの一実施形態を示す斜視図。
【図４】同、図３の反対側からみた分解斜視図。
【図５】同、断面図。
【図６】図３のピストンを用いて容器内の内容物を注出し終わった状態を実線で示し、引き抜き時を鎖線で示す断面図。
【図７】本発明におけるピストンの他の実施形態を示す分解斜視図。
【図８】同、断面図。
【図９】同、図７の反対側からみた分解斜視図。
【図１０】本発明におけるピストンのさらに他の実施形態を示す分解斜視図。
【図１１】図１０における２個のピストン片を取り出して示す斜視図。
【図１２】同ピストン片とカム部材との関係を示す説明図。
【図１３】同、組み立て後の状態を示す斜視図。
【図１４】本発明によるガン式ディスペンサの第２の実施の形態を示す斜視図。
【図１５】第２の実施の形態におけるピストンの一例の構成を示す概略図。（Ａ）は側方から見た断面図であって、ピストンが拡径した状態が実線で示されており、縮径した状態が二点鎖線で示されている。（Ｂ）は正面図を示す。
【図１６】外筒に内挿された容器をピストンによって押圧する過程と、外筒及び容器からピストンを引き抜く過程とを示す説明図。
【図１７】（Ａ），（Ｂ）は従来の技術を示す説明用断面図。
【符号の説明】
１  ガン式ディスペンサ
２  容器
３  胴部
４  注出口
５  容器底部
７  突出底部
８  凹溝
９  突条
１０  凹部
１１  受部材
１３  カバー
１４  容器装填部
１５  固定ハンドル
１６  トリガレバー
１９  ピストンロッド
２０  ピストン
２１，３１，４１，５１  ピストン片
２２，３２，４２  ヘッド部材
２５  連結レバー
３０，４６  カム部材
５０  外筒
５２  壁部
５３  開口部
５４  軸受部材
５５  ピストン片支持部
５６  回動制限部
【図１】
0004216096.tif 000002
【図２】
0004216096.tif 000003
【図３】
0004216096.tif 000004
【図４】
0004216096.tif 000005
【図５】
0004216096.tif 000006
【図６】
0004216096.tif 000007
【図７】
0004216096.tif 000008
【図８】
0004216096.tif 000009
【図９】
0004216096.tif 000010
【図１０】
0004216096.tif 000011
【図１１】
0004216096.tif 000012
【図１２】
0004216096.tif 000013
【図１３】
0004216096.tif 000014
【図１４】
0004216096.tif 000015
【図１５】
0004216096.tif 000016
【図１６】
0004216096.tif 000017
【図１７】
0004216096.tif 000018